(57)【要約】  【課題】本発明は、受信信号レベル低下時の等利得合成または最大比利得合成のダイバーシティ受信器の合成信号の位相変動が、後段の復調器等への影響することを低減することを目的とする。  【解決手段】少なくとも２つ以上のアンテナが配置された、ダイバーシティ受信方式において、受信した複数の高周波信号の内一つでも受信レベルが低下した場合、上記受信した複数の高周波信号をダウンコンバートする変換器の移相器の制御を停止させ、再び制御を開始するときには位相の連続性を保ち、さらに位相の変化量を抑えてから、受信した複数の高周波信号を合成する。【選択図】図１
2007103991.tif 000002
【特許請求の範囲】
【請求項１】
少なくとも２つ以上のアンテナが配置された、ダイバーシティ受信装置において、
受信した複数の信号の内一つでも受信レベルが低下した場合、
上記受信した複数の信号を位相する移相器の制御を停止させ、再び制御を開始するときには位相の連続性を保ち、さらに位相の変化量を抑えてから、受信した複数の信号を合成することを特徴とする位相制御方法。
【請求項２】
少なくとも２つ以上のアンテナが配置された、ダイバーシティ受信装置において、受信した複数の信号の内一つでも受信レベルが低下した場合、上記受信した複数の信号を位相する移相器の制御を停止させ、再び制御を開始するときには位相の連続性を保ち、さらに位相の変化量を抑えてから、受信した複数の信号を合成する機能と、
ダイバーシティ等利得合成機能またはダイバーシティ最大比利得合成機能とを有する事を特徴とするダイバーシティ受信装置。
【発明の詳細な説明】
【技術分野】
【０００１】
本発明は、無線伝送装置に適用される、等利得合成または最大比利得合成のダイバーシティ受信器や、アレイアンテナ等の無線受信部分の位相制御に関わるものである。
【背景技術】
【０００２】
図７に従来の等利得合成ダイバーシティ受信器のブロック図を示す。受信信号＃１と受信信号＃２から合成部１０１において双方の位相差情報が検出される。位相差情報はＤＣ電圧であり、同相に近ければ近いほど高い値をとる。この位相差情報を基に移相器制御部１０２において、受信信号＃１と受信信号＃２の合成信号レベルが高くなるような移相器制御電圧が移相器１０３に出力され、ミキサ１０４で受信信号＃２の位相を変えるという構成である。受信信号＃１と受信信号＃２を同相にする制御を無限に繰り返し、合成出力レベルを常に最大とするものである。
【０００３】
図８に従来の合成部１０１のブロック図を示す。ミキサ２０１において、ＩＦ帯にダウンコンバートされた受信信号＃３と受信信号＃４から合成出力と位相差電圧を検出する。
図７における移相器制御部１０３はマイコンで構成される。図３にマイコン制御の各条件における概要図を示す。図３におけるｃはマイコンの制御値、ＰＤ（ｃ）は位相差電圧を表す。図３（Ａ）は制御値を＋１するとＰＤ（ｃ）が大きくなる（受信信号＃３と受信信号＃４が同相に近づく）条件、図３(B)は制御値を＋１してもＰＤ（ｃ）が変わらない（受信信号＃３と受信信号＃４がほぼ同相である）条件、図３（Ｃ）は制御値を＋１するとＰＤ（ｃ）が小さくなる（受信信号＃３と受信信号＃４が同相から遠ざかる）条件である。マイコンは条件（Ａ）のとき、図における（１）から（２）となるように制御方向を維持する。条件（Ｂ）のときは出力する移相器制御電圧を一定とし、条件（Ｃ）のときは図における（１）から（２）となるように制御方向を逆にするような動作を行う。
【特許文献１】特開平６−３０３１７１号公報
【発明の開示】
【発明が解決しようとする課題】
【０００４】
等利得合成ダイバーシティ受信器に入力される移相器制御を受けていない方の受信信号（図７における受信信号＃１）が受からなくなったとき、図８におけるミキサ２０１から出力されるＤＣ電圧には大きな雑音が加わる。このとき図７の移相器制御部（マイコン）１０２には雑音の乗った位相差電圧が入力されるため常に不安定な動作をし、その結果等利得合成ダイバーシティ受信器の合成信号は位相変動の激しいものとなり、後段の復調器等に影響を与える可能性がある。最大比利得合成は、各アンテナ信号レベルに比例した重み付けを受信信号につけるため、低レベル受信信号は合成信号への寄与率は少ない。しかし、低レベル受信信号の急激な変動は合成信号の雑音となり、後段の復調器等に影響を与える可能性がある。
【０００５】
本発明は、上記の受信信号レベル低下時のダイバーシティ受信器の等利得合成または最大比利得合成の合成信号の位相変動が、後段の復調器等への影響を低減することを目的とする。
【課題を解決するための手段】
【０００６】
本発明は上記の目的を達成するため、少なくとも２つ以上のアンテナが配置された、ダイバーシティ受信装置において、受信した複数の信号の内一つでも受信レベルが低下した場合、上記受信した複数の信号を位相する移相器の制御を停止させ、再び制御を開始するときには位相の連続性を保ち、さらに位相の変化量を抑えてから、受信した複数の信号を合成する。
【０００７】
つまり、等利得合成または最大比利得合成のダイバーシティ受信方式において、ダイバーシティ受信器のどちらの受信信号が受からない状況においても、合成信号の位相を乱さない。
【発明の効果】
【０００８】
以上説明したように本発明のダイバーシティ受信器を用いることにより、複数ある受信信号の内、どの受信信号のレベルが低下しても安定した位相を持つ等利得合成または最大比利得合成の合成信号を出力することが可能になる。
【０００９】
また移相器制御の停止から復帰するときも、極端な変化の移相器制御は合成信号の位相を短時間に大きく変化させることになり、後段の復調器は位相変化に追従することができず、復調特性劣化に繋がる。しかし、移相器制御の停止復帰後にも移相器制御電圧は常に連続性を保ちつつ、時間当りの位相の変化量をある程度抑える。これにより、合成信号の位相が短時間に極端に変化することを回避することが可能であり、後段の復調器は特性を劣化させることなく復調可能となる。
【発明を実施するための最良の形態】
【００１０】
図１に本発明の１実施例の等利得合成ダイバーシティ受信器のブロック図を示す。図７の従来の等利得合成ダイバーシティ受信器のブロック図とは、合成部と移相器制御部とが異なる。そこで、図２に本発明の１実施例の等利得合成ダイバーシティ受信器の合成部と移相器制御部のブロック図を示す。図２の合成部４０４において、従来方式で出力していた位相差電圧に加え、ＡＧＣ４０１とＡＧＣ４０２において受信信号＃３と受信信号＃４に対するＡＧＣ電圧を出力し、その各ＡＧＣ電圧を調整して電力を表す受信電力＃１と受信電力＃２を移相器制御部４０３に出力する。移相器制御部４０３において、受信電力＃１と受信電力＃２のどちらかの値が所定レベル以下のとき、位相制御を停止するものである。
【００１１】
本発明の１実施例の制御を表す概略図を図４に示す。図４は時間tの経過に対して移相器制御を行っているものを表している。受信電力が所定レベル、例えば通常電力の１／４以下に落ちたとき、移相器制御を停止する。
【００１２】
また移相器制御の停止から復帰するとき、図４に示すように極端な変化の移相器制御は合成信号の位相を短時間に大きく変化させることになり、後段の復調器は位相変化に追従することができず、復調特性劣化に繋がる。これを回避するために、本発明の別の実施例として、移相器制御の停止復帰後にも移相器制御電圧は常に連続性を保ちつつ、時間当りの位相の変化量をある程度抑える。この本発明の別の実施例の制御例の模式図を図５に、移相器制御部４０３の制御ブロック図を図６に示す。これにより、合成信号の位相が短時間に極端に変化することを回避することが可能であり、後段の復調器は特性を劣化させることなく復調可能となる。
【００１３】
本発明の別の実施例の移相器制御部の制御例の図５は、制御停止期間に位相差が変化し（位相差電圧ＰＤ（ｃ）の低下）、制御再開時に同相となっていない状態において、制御停止前の位相状態からスタートし、その後、位相差が最大となるまでの間は位相回転速度を低くする制御を表している。
【００１４】
本発明の別の実施例の移相器制御部の制御ブロック図６において、（Ａ）は受信レベルが低下した場合の移相器制御部４０３の制御ブロック図を示している。受信レベル低下検出部７０１, ７０２において受信電力＃１、＃２を監視し、レベル低下時に移相器制御電圧生成部７０３に制御停止命令、位相保持命令を送る。図６において、（Ｂ）は受信レベルが閾値以上に戻ったときの移相器制御部４０３の制御ブロック図を示している。このとき、移相器制御電圧生成部７０３は制御を再開し、移相器にて位相回転させるための電圧を生成するが、その回転速度は後段の復調器に影響が出ないように十分低速なものとなるように制御する。
【００１５】
ところで、以上の実施形態では、等利得合成ダイバーシティ受信器についてだけ説明したが、本発明では、等利得合成ダイバーシティ受信器に限定されるものではなく、最大比利得合成ダイバーシティ受信器であっても良い。
【００１６】
また、以上の実施形態では、局部発振器（ＬＯＣ）１０６とミキサ２０１とを用いた、受信した複数の高周波信号を低周波信号にダウンコンバートしてから合成する方式について説明したが、本発明では、受信した高周波信号を直接合成する方式であっても良い。
【図面の簡単な説明】
【００１７】
【図１】本発明の１実施例の等利得合成ダイバーシティ受信器のブロック図
【図２】本発明の１実施例の合成部と移相器制御部のブロック図
【図３】移相器制御部の制御例の模式図
【図４】本発明の１実施例の移相器制御部の制御例の模式図
【図５】本発明の別の実施例の移相器制御部の制御例の模式図
【図６】本発明の別の実施例の制御例の移相器制御部の制御ブロック図
【図７】従来の等利得合成ダイバーシティ受信器のブロック図
【図８】従来の合成部のブロック図
【符号の説明】
【００１８】
１０１, ４０４：合成部、１０２，４０３：移相器制御部、１０３：移相器
１０４，１０５，２０１：ミキサ、１０６：局部発振器（ＬＯＣ）、
４０１，４０２：ＡＧＣ、７０１, ７０２：受信レベル低下検出部、
７０３：移相器制御電圧生成部
【図１】
2007103991.tif 000003
【図２】
2007103991.tif 000004
【図３】
2007103991.tif 000005
【図４】
2007103991.tif 000006
【図５】
2007103991.tif 000007
【図６】
2007103991.tif 000008
【図７】
2007103991.tif 000009
【図８】
2007103991.tif 000010